【手続補正書】
【提出日】平成21年7月14日(2009.7.14)
【手続補正１】
【補正対象書類名】特許請求の範囲
【補正対象項目名】請求項４
【補正方法】変更
【補正の内容】
【請求項４】
前記チアゾールアゾ色素が、Ｃ．Ｉ．ディスパースレッド４３、Ｃ．Ｉ．ディスパースレッド５８、Ｃ．Ｉ．ディスパースレッド８８、Ｃ．Ｉ．ディスパースブルー１０２、Ｃ．Ｉ．ディスパースレッド１１０、Ｃ．Ｉ．ディスパースレッド１１１、Ｃ．Ｉ．ディスパースレッド１１７、Ｃ．Ｉ．ディスパースレッド１３７、及びＣ．Ｉ．ディスパースレッド２０６から選ばれる少なくともいずれか１種類であることを特徴とする請求項１に記載の滅菌インジケータインキ組成物。
【手続補正２】
【補正対象書類名】明細書
【補正対象項目名】００１４
【補正方法】変更
【補正の内容】
【００１４】
請求項４に記載された滅菌インジケータインキ組成物は、請求項１に記載されたもので、前記チアゾールアゾ色素が、Ｃ．Ｉ．ディスパースレッド４３、Ｃ．Ｉ．ディスパースレッド５８、Ｃ．Ｉ．ディスパースレッド８８、Ｃ．Ｉ．ディスパースブルー１０２、Ｃ．Ｉ．ディスパースレッド１１０、Ｃ．Ｉ．ディスパースレッド１１１、Ｃ．Ｉ．ディスパースレッド１１７、Ｃ．Ｉ．ディスパースレッド１３７、及びＣ．Ｉ．ディスパースレッド２０６から選ばれる少なくともいずれか１種類であることを特徴とする。Ｃ．Ｉ．はカラーインデックスを意味する。
【手続補正３】
【補正対象書類名】明細書
【補正対象項目名】００２８
【補正方法】変更
【補正の内容】
【００２８】
チアゾールアゾ色素は、Ｃ．Ｉ．ディスパースレッド４３、Ｃ．Ｉ．ディスパースレッド５８、Ｃ．Ｉ．ディスパースレッド８８、Ｃ．Ｉ．ディスパースブルー１０２、Ｃ．Ｉ．ディスパースレッド１１０、Ｃ．Ｉ．ディスパースレッド１１１、Ｃ．Ｉ．ディスパースレッド１１７、Ｃ．Ｉ．ディスパースレッド１３７、Ｃ．Ｉ．ディスパースレッド２０６が好ましいが、中でもＣ．Ｉ．ディスパースレッド８８、Ｃ．Ｉ．ディスパースレッド１１１、Ｃ．Ｉ．ディスパースレッド１３７、Ｃ．Ｉ．ディスパースレッド２０６であると、一層優れた変色性能を発現するので一層好ましい。これらを、単独で用いてもよく、複数混合して用いてもよい。
【手続補正４】
【補正対象書類名】明細書
【補正対象項目名】００５１
【補正方法】変更
【補正の内容】
【００５１】
（実施例１）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、２，３，４−トリメチル安息香酸の２４重量部、タルクの７．２重量部、ロジン変性フェノール樹脂（日立化成ポリマー株式会社製）の８０重量部、溶剤として酢酸エチルの４０重量部を混練した。この混練物から、溶剤分を揮発させることにより、粘度を１００Ｐに調整して、酸化重合型である赤色の滅菌インジケータインキ組成物を調製した。
【手続補正５】
【補正対象書類名】明細書
【補正対象項目名】００５６
【補正方法】変更
【補正の内容】
【００５６】
（実施例２）
Ｍｉｋｅｔｏｎ  Ｐｏｌｙｅｓｔｅｒ  Ｒｅｄ  ＢＳＦ（株式会社ダイスタージャパン製：Ｃ．Ｉ．ディスパースレッド１１１）の３重量部、２−ヒドロキシ安息香酸の２８重量部、タルクの７．２重量部、ロジン変性フェノール樹脂（日立化成ポリマー株式会社製）の８０重量部、溶剤として酢酸エチルの４０重量部を混練した。この混練物から、溶剤分を揮発させることにより、粘度を５００Ｐに調整して、酸化重合型である赤色の滅菌インジケータインキ組成物を調製した。
【手続補正６】
【補正対象書類名】明細書
【補正対象項目名】００６０
【補正方法】変更
【補正の内容】
【００６０】
（実施例３）
Ｍｉｋｅｔｏｎ  Ｐｏｌｙｅｓｔｅｒ  Ｒｅｄ  ３ＢＳＦ（株式会社ダイスタージャパン製：Ｃ．Ｉ．ディスパースレッド２０６）の４重量部、３，５−ジヒドロキシ安息香酸の２６重量部、タルクの７．２重量部、ロジン変性フェノール樹脂（日立化成ポリマー株式会社製）の８０重量部、溶剤として酢酸エチルの４０重量部を混練した。この混練物から、溶剤分を揮発させることにより、粘度を８００Ｐに調整して、酸化重合型である赤色の滅菌インジケータインキ組成物を調製した。
【手続補正７】
【補正対象書類名】明細書
【補正対象項目名】００６４
【補正方法】変更
【補正の内容】
【００６４】
（実施例４）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、２，３，４−トリメチル安息香酸の２４重量部、タルクの７．２重量部、Ｆ−Ｇｌｏｓｓ  メジウム（大日本インキ化学工業株式会社製；商品名）の８０重量部、溶剤として酢酸エチルの４０重量部を混練した。この混練物から、溶剤分を揮発させることにより、粘度を８００Ｐに調整して、酸化重合型である赤色の滅菌インジケータインキ組成物を調製した。
【手続補正８】
【補正対象書類名】明細書
【補正対象項目名】００６８
【補正方法】変更
【補正の内容】
【００６８】
（実施例５）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、２，３，４−トリメチル安息香酸の２４重量部、タルクの７．２重量部、エポキシアクリレート樹脂の４０重量部、トリメチルロールプロパントリ（メタ）アクリレート樹脂の２０重量部、４，４’−ビスジエチルアミノベンゾフェノンの８重量部、メチルハイドロキノンの０．１重量部、ポリエチレングリコールアルキルエーテルの５重量部を混練した。この混練物に、Ｎ,Ｎ−ジメチルアクリルアミドをさらに添加して混練することにより、粘度を２００Ｐに調整して、紫外線硬化型である赤色の滅菌インジケータインキ組成物を調製した。
【手続補正９】
【補正対象書類名】明細書
【補正対象項目名】００７２
【補正方法】変更
【補正の内容】
【００７２】
（実施例６）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、２，３，４−トリメチル安息香酸の２４重量部、タルクの７．２重量部、ＵＶ  １６１  メジウム（Ｔ＆Ｋ  ＴＯＫＡ株式会社製；商品名）の８０重量部、酢酸エチルの４０重量部を混練した。この混練物に、Ｎ,Ｎ−ジメチルアクリルアミドをさらに添加して混練することにより、粘度を３００Ｐに調整して、紫外線硬化型である赤色の滅菌インジケータインキ組成物を調製した。
【手続補正１０】
【補正対象書類名】明細書
【補正対象項目名】００７６
【補正方法】変更
【補正の内容】
【００７６】
（比較例１）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、２，３，４−トリメチル安息香酸の２４重量部、タルクの７．２重量部、メジウム（Ｎｏｕｖｅｌ  Ｓｅｎｉｏｒ  Ｓｏｙ  メジウム、大日精化工業株式会社製）の１００重量部、溶剤として酢酸エチルの５０重量部を混練した。この混練物から、溶剤分を揮発させることにより、粘度を２０Ｐに調整して、酸化重合型である赤色のインキ組成物を調製した。
【手続補正１１】
【補正対象書類名】明細書
【補正対象項目名】００８０
【補正方法】変更
【補正の内容】
【００８０】
（比較例２）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の４重量部、タルクの７．２重量部、メジウム（Ｎｏｕｖｅｌ  Ｓｅｎｉｏｒ  Ｓｏｙ  メジウム、大日精化工業株式会社製）の８０重量部、溶剤としてミネラルスピリットの４０重量部を混練した。この混練物から、溶剤分を揮発させることにより、粘度を２００Ｐに調整して、酸化重合型である赤色のインキ組成物を調製した。
【手続補正１２】
【補正対象書類名】明細書
【補正対象項目名】００８４
【補正方法】変更
【補正の内容】
【００８４】
（比較例３）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の０．４重量部、２，３，４−トリメチル安息香酸の２．４重量部、タルクの０．７重量部、メジウム（株式会社Ｔ＆Ｋ  ＴＯＫＡ製；商品名）の１００重量部、ミネラルスピリットの５０重量部を混練した。この混練物に、Ｎ,Ｎ−ジメチルアクリルアミドをさらに添加して混練することにより、粘度を３００Ｐに調整して、紫外線硬化型である薄赤色のインキ組成物を調製した。
【手続補正１３】
【補正対象書類名】明細書
【補正対象項目名】００８８
【補正方法】変更
【補正の内容】
【００８８】
（比較例４）
Ｍｉｋｅｔｏｎ  Ｐｏｌｙｅｓｔｅｒ  Ｒｅｄ  ２ＢＳＦ（株式会社ダイスタージャパン製：Ｃ．Ｉ．ディスパースレッド８８）の１．２重量部、マロン酸の２０．８重量部、タルクの７．２重量部、メジウム（Ｎｏｕｖｅｌ  Ｓｅｎｉｏｒ  Ｓｏｙ  メジウム、大日精化工業株式会社製）の６０重量部、ミネラルスピリットの４０重量部を混練した。この混練物から、溶剤分を揮発させることにより、粘度を２００Ｐに調整して、酸化重合型である赤色のインキ組成物を調製した。